(57)【要約】【課題】１つの愛玩動物用具を用いて、犬や猫といった愛玩動物の睡眠用、遊戯用、休憩用、トイレ用といった種々の目的に使用することができる愛玩動物用具を提供すること。【解決手段】開口部１１ａを備えた２枚の開口面材１１と４枚の非開口面材１２とからなる柔軟で屈曲自在な６つの面材１０を、開口面材１１が対向するようにそれぞれ連結して自立可能な中空の箱状に形成して、２枚の面材１０の連結部で形成される稜線部１３を外側から押し込んで内部に折り込むことができるように、稜線部１３が屈曲自在に形成した。【選択図】　図１
2004105073.tif 000002
【特許請求の範囲】
【請求項１】
開口部を備えた２枚の開口面材と４枚の非開口面材とからなる柔軟で屈曲自在な６枚の面材を、開口面材が対向するようにそれぞれ連結して自立可能な中空の箱状に形成されてなり、
２枚の面材の連結部で形成される稜線部を外側から押し込んで内部に折り込むことができるように、稜線部が屈曲自在に形成されてなることを特徴とする愛玩動物用具。
【請求項２】
開口部を備えた２枚の開口面材と６枚以上の偶数枚の非開口面材とからなる柔軟で屈曲自在な面材を、開口面材が対向するようにそれぞれ連結して自立可能な中空の略多角柱の箱状に形成されてなり、
２枚の面材の連結部で形成される稜線部を外側から押し込んで内部に折り込むことができるように、稜線部が屈曲自在に形成されてなることを特徴とする愛玩動物用具。
【請求項３】
非開口面材には、折り曲げ部が稜線部と平行に形成されてなることを特徴とする請求項１又は２記載の愛玩動物用具。
【請求項４】
折り曲げ部は、非開口面材の中央に直線状に形成されてなることを特徴とする請求項１から３のいずれかに記載の愛玩動物用具。
【請求項５】
折り曲げ部は、折り曲げ部近傍の非開口面材の厚さよりも薄く形成されてなることを特徴とする請求項１から４のいずれかに記載の愛玩用動物用具。
【請求項６】
非開口面材同士を連結して形成される稜線部を外方に膨らんだ弧状に形成してなることを特徴とする請求項１から５のいずれかに記載の愛玩動物用具。
【請求項７】
開口面材及び非開口面材は、クッション性を有するものであることを特徴とする請求項１から６のいずれかに記載の愛玩動物用具。
【請求項８】
開口面材及び非開口面材は、裏面又は表裏面が防水性又は撥水性を有することを特徴とする請求項１から７のいずれかに記載の愛玩動物用具。
【発明の詳細な説明】
【０００１】
【発明の属する技術分野】
本発明は、犬、猫等の愛玩動物の小屋、ベッド、トイレ等種々の目的に使用することができる愛玩動物用具に関する。
【０００２】
【従来の技術】
愛玩動物用の休憩用家屋として、木材やプラスチック等を用いて作製された小屋やベッドが従来より多く使用されている。
【０００３】
しかし、これらの愛玩動物用具は、それぞれ形状が固定されているので、単一目的にしか利用することができず汎用性がない。したがって、他の目的に使用する場合には、その目的に応じた形状の愛玩動物用具を別々に買いそろえる必要があった。
【０００４】
【発明が解決しようとする課題】
本発明は、上記問題点を解決するためになされたものであり、本発明が解決しようとする課題は、犬や猫といった愛玩動物の睡眠用、遊戯用、休憩用、トイレ用といった種々の目的に１つの愛玩動物用具を用いて実現することができる愛玩動物用具を提供することにある。
【０００５】
【課題を解決する手段】
以上のような問題点を解決するために、請求項１に記載した発明が採った手段は、開口部１１ａを備えた２枚の開口面材１１と４枚の非開口面材１２とからなる柔軟で屈曲自在な６枚の面材１０を、開口面材１１が対向するようにそれぞれ連結して自立可能な中空の箱状に形成されてなり、２枚の面材１０の連結部で形成される稜線部１３を外側から押し込んで内部に折り込むことができるように、稜線部１３が屈曲自在に形成されてなることを特徴とする愛玩動物用具１００、とするものである。
本請求項１記載の発明は、開口部１１ａを備えた２枚の開口面材１１と４枚の非開口面材１２を用いて自立できる中空の箱状に形成したものである。開口部１１ａを設けることにより、図７のように、愛玩動物が箱の内側に入り込んで、遊んだり、眠ったりすることができるようにしたものである。また、柔軟で屈曲自在な面材１０を用いるとともに各稜線部１３を屈曲自在とすることで、稜線部１３を内部に折り込み、箱状の形態を自在に変更させることができるようにして、図８や図９のように愛玩動物のベッドやソファー等として利用することができるようにしたものである。
【０００６】
請求項２に記載した発明が採った手段は、開口部１１ａを備えた２枚の開口面材１１と６枚以上の偶数枚の非開口面材１２とからなる柔軟で屈曲自在な面材１０を、開口面材１１が対向するように、それぞれ連結して自立可能な中空の略多角柱の箱状に形成されてなり、２枚の面材１０の連結部で形成される稜線部１３を外側から押し込んで内部に折り込むことができるように、稜線部１３が屈曲自在に形成されてなることを特徴とする愛玩動物用具１００、とするものである。これは、請求項１の立方体や直方体等の四角柱形状に対して、六角柱や八角柱等の多角形の箱状としたものである。
【０００７】
請求項３に記載の発明が採った手段は、非開口面材１２には、折り曲げ部１２ｂが稜線部１３と平行に形成されてなることを特徴とする請求項１又は２に記載の愛玩動物用具１００、とするものである。
非開口面材１２に折り曲げ部１２ｂを形成して、稜線部１３を内部に押し込みやすくするとともに、折り曲げられた面材の復帰力を少なくして、変形した形態を安定して維持できるようにしたものである。
【０００８】
請求項４に記載の発明が採った手段は、折り曲げ部１２ｂは、非開口面材１２の中央に直線状に形成されてなることを特徴とする請求項１から３のいずれかに記載の愛玩動物用具１００、とするものである。例えば、図８のようなベッド状にしたときに、ベッドの縁の折り畳んだ部分に折り曲げ部１２ｂを形成できるようにして、折り畳んだ形態を保持しやすくしたものである。
【０００９】
請求項５に記載の発明が採った手段は、折り曲げ部１２ｂは、折り曲げ部１２ｂ近傍の非開口面材１２の厚さよりも薄く形成されてなることを特徴とする請求項１から４のいずれかに記載の愛玩動物用具１００、とする。折り曲げ部１２ｂの形成方法として、非開口面材１２の厚さより薄く形成することで、容易に折り曲げ部１２ｂを設けることができるようにしたものである。
【００１０】
請求項６に記載の発明が採った手段は、非開口面材１２同士を連結して形成される稜線部１３ａを、外方に膨らんだ弧状に形成してなることを特徴とする請求項１から５のいずれかに記載の愛玩動物用具１００、とするものである。
稜線部１３ａを箱状の外方に向かって弧状に膨らませて形成することで、稜線部１３ａを折り込んだときに、折り込まれた稜線部１３ａは折り畳まれた場所でで外方に膨らんで折り込まれた状態を維持しようとするので、変形させた形状をさらに安定させることができるようになる。
【００１１】
請求項７に記載された発明が採った手段は、開口面材１１及び非開口面材１２は、クッション性を有するものであることを特徴とする請求項１から６のいずれかに記載の愛玩動物用具１００、とするものである。愛玩動物がより心地よく感じることができるようにクッション性を有する素材を用いて愛玩動物用具を作製したものである。
【００１２】
請求項８に記載された発明が採った手段は、開口面材１１及び非開口面材１２は、裏面又は表裏面が防水性又は撥水性を有することを特徴とする請求項１から７のいずれかに記載の愛玩動物用具１００とするものである。動物によって汚された愛玩動物用具１００を容易に洗浄することができるように、裏面又は表裏面に防水性素材を用いて作製したものである。
【００１３】
【発明の実施の形態】
本発明の愛玩動物用具は、開口部を備えた２枚の開口面材と偶数枚の非開口面材とを連結して中空の略多角柱状の箱状に形成したものである。例えば、四角形の２枚の開口面材と４枚の非開口面材を用いて四角柱状の箱状に形成したり、六角形の２枚の開口面材と６枚の非開口面材を用いて六角柱状の箱状に形成したりしたもの等が考えられる。なお、多角柱状とは完全な角柱のみではなく、多少の膨らみを持ったもの等多少の形状がくずれた角柱も含まれる。２枚の開口面材は角柱の平面（上面）と底面とに互いに対向するように設けられていて、開口部が愛玩動物の出入り口を形成する。開口部の形状は特に限定するものではなく、丸孔であっても角孔であってもよいし、その大きさも特に限定するものではない。また、開口部は必ずしも開口面材の中央に設けられている必要はなく、開口面材の端に設けても構わない。
【００１４】
各面材は、愛玩動物用具の形状を変化させることができるようにするため、柔軟で屈曲自在な素材を用いる。その素材については特に限定するものではないが、好ましくは、愛玩動物等が心地よさを感じるように、ある程度厚さがありクッション性を有するものを用いるとよい。また、必ずしも単一の素材からなる面材である必要はなく、下記の実施例で説明するような複数の素材を重ね合わせたものを用いてもよい。そして、各面材は、山折り、谷折りを自由に折り曲げることができるように屈曲自在となるようにそれぞれ連結して角柱状に形成する。このように柔軟で屈曲自在な面材及び屈曲自在な稜線部とすることで、稜線部を中空に形成された箱状体の内部に押し込んむことができるようになり、例えば、ソファー、ベッド、トイレ等の形態に容易に変更することができるようになる。なお、各面材を連結する方法は特に限定するものではないが、縫製により互いの面材を連結すれば容易に連結することができる。
【００１５】
さらに、非開口面材自体を折り曲げやすくしたり、折り曲げた後の形態を維持しやすいように、非開口面材に折り曲げ部を形成するとよい。折り曲げ部は、例えば、その部分に予め折り目を入れておくとか、切れ目を入れておくとかの方法が考えられるが、厚さがあるクッション性の素材を用いた場合には、縫製により周囲より薄く形成することにより、折り曲げ部を容易に形成することができる。この折り曲げ部は、ベッド等への変形形態を考慮した場合に折り曲げられる場所と同じ場所となるべく、例えば、折り曲げられてベッドの縁を形成する場所に折り曲げ部がくるように、非開口面材の中央に直線状に設けることが望ましい。なお、折り曲げ部は、開口面材と非開口面材との連結部によって形成される稜線部と平行に設けても、非開口面材同士の連結部によって生じる稜線部と平行に設けても構わないし、十字になるように両方設けても構わない。また、開口面材の全てに設けることは必ずしも必要ではなく、一部の面にのみ設けてもよい。
【００１６】
さらに、非開口面材同士が連結して形成された稜線部を外方に膨らむように弧状とすれば、稜線部を直線に形成する場合と比較して稜線部の外側からの押圧力に対する抵抗力が高いので箱状の形態をより安定させることができる。また、稜線部を折り込んで山折りを谷折りにした場合でも、弧状に形成してあれば、谷折りを維持しようとするので折り畳んだ後の形態を安定して保持することができる。
【００１７】
さらに、本発明の愛玩動物用具は動物に使用されるものであるので、比較的汚されやすいので、裏面又は表裏面に防水性又は撥水性を有する素材を用いれば、雑巾等で拭いたり、容易に水で流すことにより汚れを落とすことができる。
【００１８】
なお、本発明の愛玩動物用具は、主として、犬や猫等の中動物を中心に考えられているが、特に使用動物は限定されるものではなく、小動物や大動物用に大きさを適宜変更して使用することができる。
【００１９】
【実施例】
（実施例１）
以下に本発明の最適な実施例を図に従って説明する。図１は、実施例１の愛玩動物用具１００を表す斜視図である。図２は、実施例１の愛玩動物用具１００の断面図である。本発明の愛玩動物用具１００は、中心に丸孔の開口部１１ａが形成された２枚の開口面材１１と孔が形成されていない４枚の非開口面材１２とからなる。開口面材１１は、図３に示されたように、厚さ２ｃｍ、１辺が３０ｃｍの正方形の中心に直径１５ｃｍの丸孔を形成した板状体のウレタンを、それよりひとまわり大きく形成された織布で上下から挟み込んで周囲を縫製して形成されている（図４、図５）。箱状にしたときに表面となる織布には、装飾性を付加するため、模様が施された装飾布が用いられ、裏面は防水性を有した布が用いられている。
【００２０】
一方、非開口面材１２は、図６に示したように、３０ｃｍ×４５ｃｍで、長辺が外側に弧状に拡がった略長方形に形成されたウレタンの板状体をそれよりひとまわり大きい織布で挟み込んで周囲を縫製してある。さらに、非開口面材１２の中心には、長辺とほぼ平行にその部分だけ周囲と比べて薄くなるよう縫製されている。この縫製部分は折り曲げ部１２ｂをなし、他の場所と比較して折り曲げやすく形成されている。
【００２１】
以上のように作製された開口面材１１と非開口面材１２とは、開口面材１１が互いに対向するように縫製により連結して四角柱状の箱状に作製される。このとき、非開口面材１２同士が連結された稜線部１３ａ（非開口面材１２の弧状に形成された長辺同士が縫製されてできる稜線部）は、非開口面材１２の長辺が弧状に形成されているので、稜線部１３ａも外方に膨らんだ弧状に形成されることになる。また、折り曲げ部１２ｂは、非開口面材１２同士が連結された稜線部１３ａとほぼ平行になるように４面に形成されることになる。
【００２２】
さて、以上のようにして作製された実施例１の愛玩動物用具１００は、非開口面材１２同士で連結された稜線部１３ａが弧状に形成されているので、直線で形成されたものより、自立安定性が高く箱状の形態を維持されている。したがって、図７に示したように、愛玩動物が中に入って愛玩動物用具１００を転がして遊び道具として使用されたり、中にとどまって隠れ家や休憩場所として使用されることになる。
【００２３】
また、隣接する２つ稜線部１３を外側から内部に押し込んで図８のように変形することにより、愛玩動物用のベッドとして使用することができる。このとき、折り曲げられた稜線部１３ａは山折りから谷折りに折り方向が逆転して、稜線部１３ａは折り曲げられた状態で弧状に形成されて、外側に膨らんでその状態を保持しようとする。したがって、愛玩動物用具は箱状の形態に戻ろうとする力に負けることなく、折り曲げられた形態を安定して保持することができる。また、ベッドの縁のうち、長縁の部分は折り曲げ部１２ｂで形成されているので、箱状からベッド状への変形が容易であり、また、折り曲げた部分の平面形態への復帰力が弱まり、曲げた状態を安定して維持することができる。一方、短縁も折り畳まれる開口面材１１の殆どが開口部１１ａをなしているので折り畳まれる部分は両端のみであり、平面形態の維持力は弱く、比較的容易に折り畳むことができ、折り畳んだ状態を維持することができる。
【００２４】
このようにして形成されたベッドは、底面が２枚重ねられた状態に形成されるので、よりクッション性が高く、動物にとって快適なベッドとして使用することができる。
【００２５】
次に、非開口面材１１同士で形成される１つの稜線部１３ａを対角にある稜線部１３ａまで折り込んで、図９のように変形することにより、愛玩動物用のソファーとして使用することができる。このときも、折り曲げられた弧状の稜線部１３ａは、内側に折り曲げられた状態を保持しようとするので安定して形態を保持することができる。
【００２６】
さらに、開口面材１１を反対の開口面材１１まで内側に折り込んで、図１０のように、開口部１１ａが重なり合うようにして形成することで、動物用のトイレとしても使用することができる。このときは、比較的開口面材１１が深く押し込まれる上、開口面材１１の面積が小さいこと、さらに、稜線部１３ａが外側に膨らんでその状態を保持しようとするので、ベッドの縁に折り曲げ部が形成されていなくても反発して戻ることはなく、安定した形状を保つことができる。なお、この場合に縁の部分に折り曲げ部を形成しておけば、より形状安定性が高くなる。
【００２７】
なお、愛玩動物用具１００として種々の目的に使用した後、愛玩動物が箱状体の内部を小便等で汚してしまった場合であっても、内側は防水性又は撥水性の布が用いられているので、濡れた雑巾等で拭けば容易にきれいになるし、汚れがひどい場合であっても、水で内部を洗浄することができる。
【００２８】
（実施例２）
図１１は実施例２の愛玩動物用具１００を表す斜視図である。この実施例２は、開口面材１１が６角形に形成されていてその中心に開口部１１ａが形成されている。非開口面材１２は、それぞれ開口面材１１と連結して略六角柱の箱状となるように略長方形に形成されている。長辺が弧状に形成されている点は、実施例１と同様である。その他各面材の作製方法や面材同士の連結方法等は、実施例１と同様である。
【００２９】
このようにして作製された実施例の愛玩動物用具１００は、図１２のように、動物用のベッド等に変形して使用される。
【００３０】
【発明の効果】
本発明の請求項１に記載した発明によれば、自立した箱状に形成されるので、愛玩動物が愛玩動物用具の内側に入り込んで、遊んだり、眠ったりすることができる。また、柔軟で屈曲自在な面材を用いるとともに屈曲自在な稜線部で形成されているので、稜線部を内部に折り込み、箱状の形態を自在に変更させることができ、愛玩用動物のベッドやソファー等として利用することができるようになる。したがって、本発明の愛玩動物用具によれば、１つ保有しているだけで、遊び道具、睡眠用ベッド、ソファー等の種々の目的に使用することができ汎用性の高いものとなる。
【００３１】
請求項２に記載した発明によれば、立方体や直方体等の四角柱形状に限らず、六角柱や八角柱状の箱状というように種々の形態の箱状体を作製することができるようになる。
【００３２】
請求項３に記載した発明によれば、折り曲げ部が形成されているので、稜線部を内部に押し込みやすく変形が容易になるとともに、折り込んだ後の形態を安定させることができる。また、請求項４に記載した発明によれば、折り曲げ部が中央に直線状に形成されているので、ベッドに変形したとき等に、ベッドの縁の折り畳んだ部分に折り曲げ部を形成でき、折り畳んだ状態を保持しやすくすることができる。さらに、請求項５に記載した発明によれば、請求項３、４の折り曲げ部を容易に形成することができる。
【００３３】
請求項６に記載した発明によれば、稜線部が外側に弧状に膨らませて形成されているので、箱状の自立した状態をより安定して保持することができるとともに、稜線部を折り込んだときに、折り込んだ状態をさらに安定させることができるようになる。
【００３４】
請求項７に記載した発明によれば、動物がより心地よく感じることができる愛玩動物用具を提供することができる。
【００３５】
請求項８に記載した発明によれば、表面に防水性素材を用いて作製することで、汚された愛玩動物用具を水で容易に洗浄することができるようになる。
【図面の簡単な説明】
【図１】実施例１に係る愛玩動物用具を示す斜視図である。
【図２】図１の愛玩動物用具の断面を表す図である。
【図３】実施例１に係る愛玩動物用具の開口面材の構造を示す斜視図である。
【図４】実施例１に係る愛玩動物用具の開口面材を表す斜視図である。
【図５】図４に示された実施例１に係る愛玩動物用具の開口面材のＡ−Ａ断面図である
【図６】実施例１に係る愛玩動物用具の非開口面材を表す斜視図である。
【図７】実施例１に係る愛玩動物用具の使用状態を示す斜視図である
【図８】実施例１に係る愛玩動物用具の使用状態の変形例を示す斜視図である。
【図９】実施例１に係る愛玩動物用具の使用状態の変形例を示す斜視図である。
【図１０】実施例１に係る愛玩動物用具の使用状態の変形例を示す斜視図である。
【図１１】実施例２に係る愛玩動物用具を示す斜視図である。
【図１２】実施例１に係る愛玩動物用具の使用状態の変形例を示す斜視図である。
【符号の説明】
１０　　　　　　　　　　　　面材
１１　　　　　　　　　　　　開口面材
１１ａ　　　　　　　　　　開口部
１２　　　　　　　　　　　　非開口面材
１２ｂ　　　　　　　　　　折り曲げ部
１３　　　　　　　　　　　　稜線部
１００　　　　　　　　　　愛玩動物用具
【図１】
2004105073.tif 000003
【図２】
2004105073.tif 000004
【図３】
2004105073.tif 000005
【図４】
2004105073.tif 000006
【図５】
2004105073.tif 000007
【図６】
2004105073.tif 000008
【図７】
2004105073.tif 000009
【図８】
2004105073.tif 000010
【図９】
2004105073.tif 000011
【図１０】
2004105073.tif 000012
【図１１】
2004105073.tif 000013
【図１２】
2004105073.tif 000014